(57)【要約】【課題】竪樋を竪樋支持具に仮止めすることができ、竪樋を竪樋支持具に取り付けた後も竪樋の位置調整が可能な竪樋支持構造を提供すること。【解決手段】第１係合部１３が爪部２３で保持されると、当接片２４の先端２４aが竪樋本体１１と非接触の状態で、竪樋１が竪樋支持具２に仮止めされ、第２係合部１４が爪部２３で保持されると、当接片の先端が竪樋本体と当接し、竪樋が竪樋支持具に固定される。【選択図】図１
2018162609.tif 000002
【特許請求の範囲】
【請求項１】
竪樋と、建物外壁に固定されて前記竪樋を支持する竪樋支持具とを含む竪樋支持構造であって、
前記竪樋は、
縦長筒状の竪樋本体と、
前記竪樋本体の外面から突出し、互いに離間して水平方向に対向する一対の突出片と、
一対の前記突出片の先端から水平方向の外側に向かって突出する第１係合部と、
前記第１係合部より前記竪樋本体側に位置し、前記突出片の突出方向の中央付近から水平方向の外側に向かって突出する第２係合部と、
を備え、
前記竪樋支持具は、
建物外壁に固定される固定部と、
前記固定部の水平方向の両端付近から建物外方に向かって略平行に延び、互いに離間して水平方向に対向する一対の挟持片と、
前記挟持片の先端付近から対向する他方の前記挟持片側へ向かって突出する爪部と、
前記固定部の中央付近から建物外方に向かって突出し、対向する前記挟持片の間に位置する当接片と、
を備え、
前記爪部は、前記第１係合部または前記第２係合部のいずれかを保持可能であり、
前記第１係合部が前記爪部で保持されると、前記当接片の先端が前記竪樋本体と非接触の状態で、前記竪樋が前記竪樋支持具に仮止めされ、
前記第２係合部が前記爪部で保持されると、前記当接片の先端が前記竪樋本体と当接し、前記竪樋が前記竪樋支持具に固定されることを特徴とする竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開2000−248699号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題がある。
【０００６】
本発明は、以上のとおりの事情に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
上記の課題を解決するために、本発明は、竪樋と、建物外壁に固定されて前記竪樋を支持する竪樋支持具とを含む竪樋支持構造であって、
前記竪樋は、
縦長筒状の竪樋本体と、
前記竪樋本体の外面から突出し、互いに離間して水平方向に対向する一対の突出片と、
一対の前記突出片の先端から水平方向の外側に向かって突出する第１係合部と、
前記第１係合部より前記竪樋本体側に位置し、前記突出片の突出方向の中央付近から水平方向の外側に向かって突出する第２係合部と、
を備え、
前記竪樋支持具は、
建物外壁に固定される固定部と、
前記固定部の水平方向の両端付近から建物外方に向かって略平行に延び、互いに離間して水平方向に対向する一対の挟持片と、
前記挟持片の先端付近から対向する他方の前記挟持片側へ向かって突出する爪部と、
前記固定部の中央付近から建物外方に向かって突出し、対向する前記挟持片の間に位置する当接片と、
を備え、
前記爪部は、前記第１係合部または前記第２係合部のいずれかを保持可能であり、
前記第１係合部が前記爪部で保持されると、前記当接片の先端が前記竪樋本体と非接触の状態で、前記竪樋が前記竪樋支持具に仮止めされ、
前記第２係合部が前記爪部で保持されると、前記当接片の先端が前記竪樋本体と当接し、前記竪樋が前記竪樋支持具に固定されることを特徴としている。
【発明の効果】
【０００８】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【０００９】
【図１】本発明の竪樋支持構造の一実施形態において、竪樋を竪樋支持具に仮止めした状態を例示した水平方向の断面図である。
【図２】図１に示した実施形態において、竪樋を竪樋支持具に固定した状態を例示した水平方向の断面図である。
【図３】本発明の竪樋支持構造における竪樋の一実施形態を例示した斜視図である。
【図４】本発明の竪樋支持構造における竪樋支持具の一実施形態を例示した斜視図である。
【発明を実施するための形態】
【００１０】
図１は、本発明の竪樋支持構造の一実施形態において、竪樋を竪樋支持具に仮止めした状態を例示した水平方向の断面図である。図２は、図１に示した実施形態において、竪樋を竪樋支持具に固定した状態を例示した水平方向の断面図である。図３は、本発明の竪樋支持構造における竪樋の一実施形態を例示した斜視図である。図４は、本発明の竪樋支持構造における竪樋支持具の一実施形態を例示した斜視図である。
【００１１】
この実施形態の竪樋支持構造は、竪樋１と、建物外壁Ｗに固定されて竪樋１を支持する竪樋支持具２とを含む。竪樋１は、筒状の竪樋本体１１と、竪樋本体１１の外面から突出し、互いに離間して水平方向に対向する一対の突出片１２を備える。さらに、竪樋１は、一対の突出片１２の先端から水平方向の外側に向かって突出する第１係合部１３と、第１係合部１３より竪樋本体１１側に位置し、突出片１２の突出方向の中央付近から水平方向の外側に向かって突出する第２係合部１４とを備える。竪樋支持具２は、建物外壁Ｗに固定される固定部２１と、固定部２１の水平方向の両端付近から建物外方に向かって略平行に延び、互いに離間して水平方向に対向する一対の挟持片２２とを備えている。さらに、竪樋支持具２は、挟持片２２の先端付近から対向する他方の挟持片２２側へ向かって突出する爪部２３と、固定部２１の中央付近から建物外方に向かって突出し、対向する挟持片２２の間に位置する当接片２４とを備えている。爪部２３は、第１係合部１３または第２係合部１４のいずれかを保持可能であり、第１係合部１３が爪部２３で保持されると、当接片２４の先端２４aが竪樋本体１１と非接触の状態で、竪樋１が竪樋支持具２に仮止めされ、第２係合部１４が爪部２３で保持されると、当接片２４の先端２４aが竪樋本体１１と当接し、竪樋１が竪樋支持具２に固定されることを特徴としている。
【００１２】
以下、図１〜図４に基づいて、本発明の竪樋支持構造の一実施形態について説明する。
【００１３】
この実施形態の竪樋支持構造は、竪樋１と、建物外壁Ｗに固定されて竪樋１を支持する竪樋支持具２とを含んでいる。
【００１４】
図３に例示したように、竪樋１は、竪樋本体１１と、突出片１２と、第１係合部１３と、第２係合部１４とを備えている。
【００１５】
竪樋本体１１は、縦長の筒状である。この実施形態では、円筒状の竪樋本体１１を例示している。
【００１６】
突出片１２は、竪樋本体１１の外面から水平方向に突出し、竪樋本体１１の長手方向に沿って延びている。一対の突出片１２は互いに平行であり、水平方向に対向している。
【００１７】
第１係合部１３は、一対の突出片１２の先端から水平方向の外側（対向する他方の突出片１２側と反対方向）に向かって突出している。この実施形態では、第１係合部１３は、先端側が、突出片１２の突出方向側（建物外壁Ｗ側）に傾斜しており、可撓性を有する材料で形成されている。
【００１８】
第２係合部１４は、第１係合部１３より竪樋本体１１側に位置し、一対の突出片１２の突出方向の中央付近から水平方向の外側（対向する他方の突出片１２側と反対方向）に向かって突出している。第２係合部１４の突出長さは、第１係合部１３の突出長さと略対応している。
【００１９】
図４に例示したように、竪樋支持具２は、固定部２１と、挟持片２２と、爪部２３と、当接片２４とを備えている。
【００２０】
固定部２１は、ネジなどの固定具（図示していない）などを介して建物外壁Ｗに固定される。
【００２１】
固定部２１は、垂直方向に起立する起立面部２１aと、起立面部２１aから建物外壁Ｗ側に向かって水平方向に突出する円筒状の支持部２１bとを備えている。支持部２１bは建物外壁Ｗに当接する。
【００２２】
固定部２１には、起立面部２１aの中央から支持部２１bに向かって連通する開口部２１cが形成されている。開口部２１cに、ネジなどの固定具を挿入して建物壁面に打ち込むことで、固定部２１を建物外壁Ｗに固定することができる。
【００２３】
挟持片２２は、固定部２１の起立面部２１aの水平方向の両端から建物外方に向かって略平行に延びている。一対の挟持片２２は、互いに離間して水平方向に対向している。
【００２４】
爪部２３は、挟持片２２の先端付近から対向する他方の挟持片２２側へ向かって突出している。具体的には、爪部２３は、挟持片２２の先端から固定部２１側に向かって湾曲する湾曲面２３aと、建物外壁Ｗと略平行な平坦面２３bとを備えている。
【００２５】
当接片２４は、固定部２１の起立面部２１aの水平方向の中央付近から建物外方に向かって突出する平板状であり、対向する挟持片２２同士の間に配置されている。当接片２４は、起立面部２１aの上端と下端に設けられており、２つの当接片２４は、互いに垂直方向に対向している。
【００２６】
図１、図２に例示したように、竪樋支持具２は、挟持片２２の爪部２３によって竪樋１の第１係合部１３と第２係合部１４のいずれかを保持することができる。
【００２７】
図１に例示したように、竪樋支持具２の対向する挟持片２２の間から固定部２１側に竪樋１の突出片１２の先端側を挿入すると、爪部２３の湾曲面２３aに当接して挟持片２２が外側に弾性変形し、第１係合部１３が爪部２３の平坦面２３b側に廻り込む。これによって、第１係合部１３を爪部２３の平坦面２３b側に引っ掛けることができる。第１係合部１３が可撓性を有する材料で形成されているため、爪部２３の平坦面２３b側が第１係合部１３によって押圧され、竪樋１の竪樋支持具２の接合状態が安定する。
【００２８】
竪樋支持具２の爪部２３によって竪樋１の第１係合部１３が保持されている状態では、当接片２４の先端２４aと一対の突出片１２同士の間の竪樋本体１１との間には隙間があり、非接触の状態になっている。このため、竪樋１は、竪樋支持具２の爪部２３によって仮止めされており、竪樋１を上下に動かしたり、回転させることができるため、位置調整を容易に行うことができる。なお、竪樋１の「仮止め」とは、竪樋支持具２によって保持されているが、竪樋１を上下に動かすことができる状態をいう。
【００２９】
図２に例示したように、竪樋支持具２の爪部２３によって竪樋１の第１係合部１３が保持されている仮止めの状態から、さらに固定部２１側へ竪樋１を押し込むことができる。これによって、竪樋１の第１係合部１３が爪部２３から離れ、竪樋本体１１側に位置する第２係合部１４が、爪部２３の湾曲面３１に当接する。これによって、挟持片２２が外側に弾性変形し、爪部２３の平坦面２３b側に第２係合部１４が廻り込むことで、第２係合部１４を爪部２３の平坦面２３bに引っ掛けることができる。
【００３０】
竪樋支持具２の爪部２３によって竪樋１の第２係合部１４が保持されている状態では、当接片２４の先端２４aと、突出片１２同士の間の竪樋本体１１の外面とが当接している。このため、竪樋１は、竪樋支持具２の両側の爪部２３と当接片２４によって三点で保持されて竪樋支持具２に安定に固定される。
【００３１】
本発明の竪樋支持構造は、以上の実施形態に限定されるものではない。
【符号の説明】
【００３２】
１    竪樋
１１  竪樋本体
１２  突出片
１３  第１係合部
１４  第２係合部
２    竪樋支持具
２１  固定部
２２  挟持片
２３  爪部
２４  当接片
【図１】
2018162609.tif 000003
【図２】
2018162609.tif 000004
【図３】
2018162609.tif 000005
【図４】
2018162609.tif 000006